(57)【特許請求の範囲】
【請求項１】
容器内の薬剤又は化粧品等の塗布剤を先端部から吐出し、被塗布面に塗布するための塗布剤吐出塗布用ノズルであって、前記容器の口部に取り付けるための取付部と、該取付部から延びるノズル本体部と、該ノズル本体部の先に連設した先端部とを有し、該先端部は、ノズル孔が開口する塗布面を備え、該塗布面の周囲を丸みを帯びた曲面により形成しており、
前記塗布面が、前記ノズル本体部の中心軸線に対して傾斜して形成されており、
前記ノズルの先端部が、前記塗布面の傾斜に沿って前記ノズル本体部から屈曲しており、
前記ノズル孔が、前記ノズル本体部の中心軸線に沿って直線状に延びるように開口していることを特徴とする塗布剤吐出塗布用ノズル。
【請求項２】
前記塗布面が、前記ノズル本体部の先端部の外径より広幅に形成されていることを特徴とする請求項１記載の塗布剤吐出塗布用ノズル。
【請求項３】
前記塗布面が、凹曲状に形成されていることを特徴とする請求項１又は２に記載の塗布剤吐出塗布用ノズル。
【請求項４】
前記塗布面が、凸曲状に形成されていることを特徴とする請求項１又は２に記載の塗布剤吐出塗布用ノズル。
【発明の詳細な説明】
【０００１】
【発明の属する技術分野】
本発明は、薬剤、化粧剤、接着剤、塗料、又は光沢剤等の流動性を持つ塗布剤を吐出し塗布するための塗布剤吐出塗布用ノズルに関する。
【０００２】
【従来の技術】
従来、この種の発明として、例えば唇用薬剤塗布具として、容器内のペースト状材料を、該容器の口部に取り付けたディスペンサから吐出させ、該ディスペンサの塗布面を利用して人体に塗布するもの知られている（例えば、特開昭６３−４６１７５号公報）。
【０００３】
また、接着剤塗布用のノズルとして、接着剤の注出口を塗布面に持つヘラ状のノズルが知られている（実開昭６３−１３８４０号公報）。
【０００４】
【発明が解決しようとする課題】
しかしながら、上記従来技術のものは、塗布面の周囲が尖っていたり、角張っていたりしていて、塗布面をその尖っている方向や角張っている方向へ移動させようとすると引っかかりが生じたりするため、ノズル塗布面の移動方向に制限を受け、塗布しずらいという問題があった。
【０００５】
本発明は、上記問題を解決するため、ノズル塗布面の移動方向に制限を受けずに塗布可能な塗布剤吐出塗布用ノズルを提供することを目的とする。
【０００６】
【課題を解決するための手段】
本発明の上記目的は、容器内の薬剤又は化粧品等の塗布剤を先端部から吐出し、被塗布面に塗布するための塗布剤吐出塗布用ノズルであって、前記容器の口部に取り付けるための取付部と、該取付部から延びるノズル本体部と、該ノズル本体部の先に連設した先端部とを有し、該先端部は、ノズル孔が開口する塗布面を備え、該塗布面の周囲を丸みを帯びた曲面により形成したことを特徴とする塗布剤吐出塗布用ノズルによって達成される。
【０００７】
前記塗布面は、前記ノズル本体部の先端部の外径より広幅に形成しても良い。
【０００８】
前記塗布面は、前記ノズル本体部の中心軸線に対して傾斜して形成しても良い。
【０００９】
前記ノズルの先端部は、前記塗布面の傾斜に沿って前記ノズル本体部から屈曲していても良い。
【００１０】
前記塗布面は、凹曲状又は凸曲上に形成しても良い。
【００１１】
【発明の実施の形態】
本発明に係る塗布剤吐出塗布用ノズルの第１実施形態について以下に図１及び図２を参照して説明する。塗布剤吐出塗布用ノズル１は、塗布剤容器２に取り付けるための取付部３と、取付部３から延びるノズル本体部４と、ノズル本体部４の先端部５に形成された塗布面５ａとを有している。ノズル本体部４を貫通するノズル孔６は、一方が塗布面５ａに開孔し、他方が取付部３の内底面に開孔している。
【００１２】
ノズル本体部４の外形は、図示のような円錐台の先細形状に限らず、円筒形状、角柱形状等とすることができ、口腔内等への適用上、長さ１５〜１００ｍｍ、好ましくは２０〜６０ｍｍ、外径１〜１３ｍｍ、好ましくは３〜８ｍｍである。また、ノズル孔６の形状も先細ノズルに限らず末広ノズル或いは長さ方向の全体に亘って同一孔径とすることができる。更に、ノズル本体部４は、図示のように真っ直ぐに延びる形態に限らず、やや湾曲させても良い（図示せず）。
【００１３】
先端部５の塗布面５ａは、周囲が丸みを帯びた曲面により形成されている。勿論、図１の例の如く、塗布面５ａの周囲に限らず先端部５の全体に丸みを持たせても良い。この場合、塗布面５ａの範囲に関し、本明細書中の「塗布面」の語は、ノズル孔６から吐出された塗布剤を被塗布面への塗布に供する面を意味し、平面に限らず曲面を含む。塗布面５ａは、ノズル本体部４の中心軸線に対して傾斜させておく方が塗布しやすく好ましい。この場合、塗布面５ａのノズル軸線に対する角度範囲θは、５〜９０°、好ましくは２０〜９０°である。勿論、この傾斜面も緩やかなカーブを持った曲面とすることができる。塗布面５ａは、塗布面中心から周囲に亘り全体として滑らかな凹曲面又は凸曲面としても良く、図１の例では凸曲面となっており、塗布の際の滑りが良くなる。
【００１４】
また、先端部５は、図に示すように、ノズル本体部４から屈曲させて形成することができる。この場合の屈曲角度範囲は、塗布面５ａを傾斜させた場合の傾斜角度範囲θと同等である。このように先端部５を屈曲させておくことによって、例えば奥歯の裏側の内頬部口内炎のように入り組んだ場所であっても、その屈曲による括れ部４５によって奥歯等の障害物を迂回して薬剤等を塗布することできる。尚、先端部５の長さＬは、２〜２０ｍｍ、好ましくは３〜１０ｍｍである。
【００１５】
取付部３は、塗布剤容器２の口部形状に合わせて適宜形成することができ、例えば塗布剤容器２の吐出口部が雄ネジである場合には該雄ネジに螺合する雌ネジを取付部３の内側面に形成する。
【００１６】
塗布剤吐出塗布用ノズル１には、取付部３を除く全体部分を覆うキャップ７を取り付けることができる。キャップ７は、ノズル本体部４の取付部３近傍に鍔状部８を形成し、鍔状部８が嵌まる環状凹部９をキャップ７の開口端近傍内周面に形成し、これら鍔状部８と環状凹部９との協動により、キャップ７をノズル本体部４に気密的に嵌着している。キャップ７とノズル本体部４との嵌着手段としては、例えば螺子係合としても良い。キャップ７は、塗布剤を外気から遮断する働きをする。キャップ７は、透明な材料で形成し、内部を透視できるようにしておくことが好ましい。
【００１７】
上記のような構成を備える塗布剤吐出塗布用ノズル１は、薬剤、接着剤、化粧材、塗料、又は光沢材等の流動性を持つ塗布剤が入った容器２から蓋２ｂを外し、容器２の吐出口部２ａに取付部３を取り付ける。容器２内の塗布剤は、ノズル孔６を通って塗布面に吐出され、塗布に供される。勿論、キャップ７及び塗布剤吐出塗布用ノズル１を予め塗布剤容器２に取り付けておいてアプリケーターとして使用、販売に供する事もできる。
【００１８】
塗布面５ａの周囲が丸みを帯びた曲面で形成したことにより、上記従来技術のように被塗布面に対する塗布面５ａの移動方向に制限を受けることなく、塗布剤を被塗布面に塗り広げることができる。
【００１９】
また、ノズル本体部４を上記のような寸法としておけば、口腔内部の歯茎と頬内側との間、鼻腔内、足の指と指との間等の狭小箇所へ塗布面５ａを送ることができ、口内炎用薬剤や水虫用薬剤等の塗布に適する。
【００２０】
次に、本発明に係る塗布剤吐出塗布用ノズルの第２実施形態について、以下に図３を参照して説明する。上記の第１実施形態と同じ部分には、同符号を付してその詳細な説明を省略する。
【００２１】
この例では、塗布面５ａが、ノズル本体部４の先端部から側方に突出して拡がっている。このように塗布面５ａを拡げて塗布のための面積を拡大することで、被塗布面積が広い場合や、多めの塗布剤を塗布する場合に好適となる。また、塗布面５ａのノズル孔周囲をやや凹ませておいて凹曲面とし、塗布の際にその凹み部分に塗布剤を溜めつつ塗布できるようにしておくこともできる。尚、本ノズルを口内炎用塗り薬のために使用する場合は、先端部５の幅Ｗは１〜２０ｍｍ、好ましくは３〜１３ｍｍとするのが好適である。
【００２２】
上記第２実施形態の塗布剤吐出塗布用ノズルについて、各部の寸法を変更したサンプルＡ〜Ｈを用いて、口内炎に薬剤を塗布する場合の塗り易さを試した実験例を下記の表に示す。
【００２３】
【表１】
0004411475.tif 000002
【００２４】
表中の塗り易さ◎○△×は、「◎：非常に塗りやすい」、「○：塗りやすい」、「△：少し塗りにくい」「×：塗りにくい」を意味する。「ノズル本体部の外径」は、ノズル本体部の先端部近傍における外径である。
【００２５】
上記表において、＊印を付した寸法の数値が、塗り易さを阻害する要因となっている。即ち、ノズル本体部の長さが１５mmより短い場合、ノズル本体部の外径が１３mmを越える場合は、何れも塗りにくくなることを示している。
【００２６】
【発明の効果】
以上の説明から明らかなように、本発明に係る塗布剤吐出塗布用ノズルによれば、ノズル塗布面の移動方向に制限を受けずに塗布することができる。
【図面の簡単な説明】
【図１】本発明に係る塗布剤吐出塗布用ノズルの第１実施形態をキャップ及び塗布剤容器とともに示す組立前の斜視図である。
【図２】図１の塗布剤吐出塗布用ノズルの拡大断面図である。
【図３】本発明に係る塗布剤吐出塗布用ノズルの第２実施形態を示す図１に対応する斜視図である。
【符号の説明】
１  塗布剤吐出塗布用ノズル
２  容器
３  取付部
４  ノズル本体部
５  先端部
５ａ  塗布面
６  ノズル孔
７  キャップ
【図１】
0004411475.tif 000003
【図２】
0004411475.tif 000004
【図３】
0004411475.tif 000005